(57)【要約】      （修正有）【課題】人体を良好な状態にするテラヘルツ波以上の細かい波長の横波である電磁波を発生させる装置であると共に、多くの人が手軽に使用できる装置を提供する。【解決手段】録音再生装置２０は、テラヘルツ波以上の細かい波長の横波である電磁波１０を記録し、繰り返し再生可能なことを特徴とする。使用の際には、病や不調の部分に数分間の間、接近、又は押し当てる、言い換えるならば、患者３０の体の外側から患者３０の体内に電磁波１０を放射する。【選択図】図１
2017099832.tif 000002
【特許請求の範囲】
【請求項１】
テラヘルツ波以上の細かい波長の横波である電磁波を記録し、繰り返し再生可能なことを特徴とする、録音再生装置。
【発明の詳細な説明】
【技術分野】
【０００１】
本発明は、テラヘルツ波以上の細かい波長の横波である電磁波を記録した録音再生装置に関する。
【背景技術】
【０００２】
従来、テラヘルツ波は様々な分野への応用が期待できる電磁波であって、工業材料や非破壊検査、製薬、バイオメディカル、農業、食品、環境計測、セキュリティー分野への応用等が現在期待されている。
【発明の概要】
【発明が解決しようとする課題】
【０００３】
しかしながら、本願出願人は、これまで誰も想到していなかった、テラヘルツ波以上の細かい波長の横波である電磁波が人体を良好な状態にする現象を発見した。ただし、現在、一般的に知られているテラヘルツ波以上の細かい波長の横波である電磁波を発生させる装置は、非常に大型で、多くの人が手軽に使用できるようなものではなかった。
【０００４】
本発明は上記実情を基に開発されたもので、人体を良好な状態にするテラヘルツ波以上の細かい波長の横波である電磁波を発生させる装置であると共に、多くの人が手軽に使用できる装置の提供をすることを目的としている。
【課題を解決するための手段】
【０００５】
前記の課題を解決するための本発明は、テラヘルツ波以上の細かい波長の横波である電磁波を記録し、繰り返し再生可能なことを特徴とする。
【発明の効果】
【０００６】
本発明のような構成であれば、人体を良好な状態にするテラヘルツ波以上の細かい波長の横波である電磁波を録音し、繰り返し使用でき、大型の装置を使用する必要もないので、多くの人が手軽に使用できる。
【図面の簡単な説明】
【０００７】
【図１】本発明の構成を示す概念図である。
【発明を実施するための形態】
【０００８】
以下、本発明の実施の形態を説明する。図１に示すように、本発明の録音再生装置２０は、電磁波１０を記録し、繰り返し再生可能なものである。そして、患者３０の多くの病や不調を消すものであって、使用の際には、病や不調の部分に数分間の間、接近、又は押し当てる、言い換えるならば、患者３０の体の外側から患者３０の体内に電磁波１０を放射するものである。
【０００９】
なお、録音再生装置２０について、より詳細に説明すると、音声等を電子的な信号に変換し、これを内蔵した半導体メモリ内にデータとして保存する装置で、マイクロフォンを内蔵しているものであり、小型軽量・大容量のものが望ましく、録音するだけでなく、単体で録音内容を再生する機能をも備えているものである。
【００１０】
そして、電磁波１０は、人体を良好な状態にするテラヘルツ波以上の細かい波長の横波である。このような電磁波１０は、自然界、さらには宇宙に存在する全ての存在が放射しているものであり、太陽や月、特殊な岩石を除けば、最も多く照射しているのは、人間だと言われており、中でも赤ん坊の放射率は大変高く、そして年齢を重ねると共に減っていくものである。そして、人間が美しく健康な体を保つためには、細胞が自ら放射するテラヘルツ波エネルギーの放射量を高める必要があり、電磁波１０を患者３０の体の外側から患者３０の体内に放射することで、この波が組織を癒し、人体が本来持っている元気になる力、美しさを保つ力が発揮されるようにサポートすることができる。
【００１１】
そして、患者３０の病を抱える部分や不調の部分は異常な周波数を発しているので、その周波数より高い周波数である電磁波１０を外側から放射することで、細胞の周波数が同調して、悪い周波数が修正されていくという理屈で、メスで除去ではなく、痛みがいらない周波数で体内にアタックしていくものであり、図１に示すように腰の痛みがある時などには、腰に録音再生装置２０を数分間当てることで腰の痛みがなくなっていく。
【００１２】
また、腰の痛み以外にも、首・肩コリの場合には、首や肩に、頭痛の場合には頭に、歯痛の場合には両頬に、胃腸の場合には胃腸に、足痛の場合には足に、小じわの場合には両頬に、目の場合には目に録音再生装置２０を数分間当てることで効果があるし、癌等にも効果があり、異常な周波数を出すがん細胞などに、同じ周波数を当てると、落ち着くが、さらに強い周波数を当てると、がん細胞が減っていくという実証がある。
【００１３】
そして、本発明の録音再生装置２０に録音した電磁波１０は、携帯電話のマイク、言い換えるならば送話側から、レシーバ、言い換えるならば受話口側に向けて伝達することが可能であり、携帯電話を介して遠隔治療も可能なものである。
【００１４】
なお、ここでいうテラヘルツ波とは、具体的には、周波数１ＴＨｚ（波長３００μｍ）前後の電磁波を指す。範囲についての明確な定義はないが、一般的には周波数１００ＧＨｚ〜１０ＴＨｚ（波長３０μｍ〜３ｍｍ）や、ミリメートル波の次に短波長の周波数３００ＧＨｚ〜３ＴＨｚ（波長１００μｍ〜１ｍｍ）帯を指す。そして、波長ミリメートル以下のサブミリ波をほぼ含み長波長側はミリメートル波、広義のマイクロ波と重なり短波長側は遠赤外線と重なる。そして、テラヘルツ波以上の細かい波長の横波である電磁波１０は、光波と電波の中間領域に当たり、光学測定系の構築が可能と言う特長を持つ。また、分子結晶などの固有の振動周波数が存在する。
【００１５】
そして、この電磁波１０は、レーザー光を半導体に照射する方法や、レーザー光を光学結晶に照射する方法、波長可変型テラヘルツ発生源、量子カスケードレーザー、高温超伝導体からのテラヘルツ電磁波放射等によって発生させることができるものである。
【００１６】
レーザー光を半導体に照射する方法は、バルクの半導体表面にフェムト秒レーザーを照射することで、テラヘルツ以上の波長の電磁波１０を放射することができるという従来からある方法である。なお、フェムト秒レーザーを半導体バルク表面に照射した際のテラヘルツ電磁波放射のメカニズムは大きく分けて、表面での超高速過渡電流と光整流効果と呼ばれる２次の非線形光学効果の２つが考えられている。後者は入射レーザーの偏光方向に対する結晶方位の角度に依存するので、前者のメカニズムと容易に区別がつく。半導体表面の超高速過渡電流の発生メカニズムは、さらに表面空乏層電界による光励起キャリアの加速と、光デンバー効果と呼ばれる電子と正孔の拡散速度の違いによる２つのメカニズムに大別される。本発明で記録される電磁波１０は、上記メカニズムのどちらによって発生されるものでもよい。
【００１７】
レーザー光を光学結晶に照射する方法は、ナノ秒のパルスレーザーで非線形光学結晶を 励起し、光パラメトリック発生・発振により単一波長のナノ秒テラヘルツ以上の波長の電磁波１０のパルスを得ることができるという従来からある方法である。
【００１８】
波長可変型テラヘルツ発生源は、パラメトリック発生による発生源が従来から挙げられている。パラメトリック発生では、強いレーザー光を非線形光学結晶に入射させることで、入射レーザー光の波長に近いアイドラー光とテラヘルツ波を発生させる。
【００１９】
量子カスケードレーザー（Quantum Cascade Laser; QCL）は、半導体量子井戸中に形成される量子準位（サブバンド）間の光学遷移を利用した中赤外からTHz領域の広い波長範囲をカバーする半導体レーザーである。
【００２０】
高温超伝導体からのテラヘルツの電磁波１０は、高温超伝導体の固有ジョセフソン接合内をジョセフソン磁束が高速運動するとき、超伝導電子と絡み合い、集団となって超伝導プラズマ波が発生する。このプラズマ波がジョセフソン接合内部で共鳴し、電磁波１０として接合の外へ位相を揃えて放出されるものである。
【００２１】
なお、上記開示された本発明の実施形態の構造は、あくまで例示である。本発明の技術的範囲は、特許請求の範囲の記載によって示されると共に、当該記載と均等と評価される技術的構成まで含むものである。
【符号の説明】
【００２２】
１０  電磁波
２０  録音再生装置
３０  患者
【図１】
2017099832.tif 000003